Podtech/llm-jp-corpus-v4-ja_patent huggingface dataset:
【手続補正書】
【提出日】平成27年2月24日(2015.2.24)
【手続補正１】
【補正対象書類名】特許請求の範囲
【補正対象項目名】全文
【補正方法】変更
【補正の内容】
【特許請求の範囲】
【請求項１】
遊技を統括的に制御する遊技制御装置を備えた遊技機において、
前記遊技制御装置には、
遊技制御プログラムにより所要の演算処理を行う演算処理手段と、
前記演算処理を行う際に値が記憶されるレジスタと、
前記演算処理手段によって更新される情報が記憶され、当該遊技機への電源供給が停止しても前記記憶された情報の記憶保持が可能な更新情報記憶手段と、
を備え、
前記更新情報記憶手段には複数バイトのアドレスが割り当てられ、該アドレスにより該更新情報記憶手段に記憶される情報が特定され、
前記レジスタには、前記アドレスのうちの上位のアドレスを指定可能な上位アドレス指定レジスタと、複数の汎用レジスタと、が含まれ、
前記遊技制御装置は、
所定の起動信号が発生すると、前記演算処理手段が前記遊技制御プログラムのリセットアドレスに設定された命令を実行する前に、前記上位アドレス指定レジスタに前記更新情報記憶手段の上位のアドレス値である固有値を記憶させ、
前記遊技制御プログラムのリセットアドレスに設定された命令を実行した後、前記更新情報記憶手段に記憶されている情報を読み出す前に、前記上位アドレス指定レジスタに前記固有値を再度記憶させ、
前記上位アドレス指定レジスタに記憶されている値を上位アドレス、前記汎用レジスタに記憶されている値を下位アドレスとして合成した値を読出元アドレスとし、
前記読出元アドレスに記憶されている情報を、前記下位アドレスの値が記憶されている汎用レジスタとは異なる汎用レジスタに記憶させる機能を有することを特徴とする遊技機。
【手続補正２】
【補正対象書類名】明細書
【補正対象項目名】０００９
【補正方法】変更
【補正の内容】
【０００９】
本発明は、上記のような問題点を解決するためになされたもので、効率良く遊技制御プログラムを作成可能とすることを目的とする。
【手続補正３】
【補正対象書類名】明細書
【補正対象項目名】００１０
【補正方法】変更
【補正の内容】
【００１０】
本発明の代表的な一形態では、遊技を統括的に制御する遊技制御装置を備えた遊技機において、前記遊技制御装置には、遊技制御プログラムにより所要の演算処理を行う演算処理手段と、前記演算処理を行う際に値が記憶されるレジスタと、前記演算処理手段によって更新される情報が記憶され、当該遊技機への電源供給が停止しても前記記憶された情報の記憶保持が可能な更新情報記憶手段と、を備え、前記更新情報記憶手段には複数バイトのアドレスが割り当てられ、該アドレスにより該更新情報記憶手段に記憶される情報が特定され、前記レジスタには、前記アドレスのうちの上位のアドレスを指定可能な上位アドレス指定レジスタと、複数の汎用レジスタと、が含まれ、前記遊技制御装置は、所定の起動信号が発生すると、前記演算処理手段が前記遊技制御プログラムのリセットアドレスに設定された命令を実行する前に、前記上位アドレス指定レジスタに前記更新情報記憶手段の上位のアドレス値である固有値を記憶させ、前記遊技制御プログラムのリセットアドレスに設定された命令を実行した後、前記更新情報記憶手段に記憶されている情報を読み出す前に、前記上位アドレス指定レジスタに前記固有値を再度記憶させ、前記上位アドレス指定レジスタに記憶されている値を上位アドレス、前記汎用レジスタに記憶されている値を下位アドレスとして合成した値を読出元アドレスとし、前記読出元アドレスに記憶されている情報を、前記下位アドレスの値が記憶されている汎用レジスタとは異なる汎用レジスタに記憶させる機能を有することを特徴とする遊技機。
【手続補正４】
【補正対象書類名】明細書
【補正対象項目名】００１１
【補正方法】変更
【補正の内容】
【００１１】
本発明の一形態によれば、効率良く遊技制御プログラムを作成することが可能となる。
【手続補正書】
【提出日】平成27年7月28日(2015.7.28)
【手続補正１】
【補正対象書類名】特許請求の範囲
【補正対象項目名】全文
【補正方法】変更
【補正の内容】
【特許請求の範囲】
【請求項１】
ハウジング及びマウスピースを含む乾燥粉末吸入器、並びに、前記乾燥粉末吸入器に適合化されている吸入用乾燥粉末薬剤の収容用カートリッジを備える吸入システムであって、
前記ハウジングは、入口ポート及び出口ポートを含み、
前記吸入システムは、複数の空気導管を含み、
前記空気導管は、空気と前記吸入用乾燥粉末薬剤とを混合して患者の肺系統に送達するための粉末煙を形成するように作動的に構成されている前記カートリッジの周囲及び前記カートリッジを通る所定の空気流分布を有するように構成されており、
前記カートリッジを通る前記所定の空気流分布は、吸入の際に前記乾燥粉末吸入器に流入する総空気流体積の約１０から３０％の範囲であることを特徴とする吸入システム。
【請求項２】
前記カートリッジの周囲の前記所定の空気流分布は、総空気流体積の約７０から９０％の範囲である、請求項１に記載の吸入システム。
【請求項３】
前記吸入用乾燥粉末薬剤は、ペプチド、タンパク質、ホルモン、それらの類似体、又はそれらの組合せから選択される薬学的活性成分、及びジケトピペラジンを含む、請求項１又は２に記載の吸入システム。
【請求項４】
前記吸入器及び前記カートリッジは、０．０８から０．１５ｋＰａ１／２／（リットル／分）の範囲の空気流抵抗を提供する、請求項１から３のいずれか１項に記載の吸入システム。
【請求項５】
ハウジング及びマウスピースアセンブリを備える乾燥粉末吸入器であって、
前記ハウジングは、上壁部と、下壁部と、第１の側壁部と、第２の側壁部と、マウスピース係合セクションと、マウスピース保管セクションと、周囲空気の取入れを可能にするための第１の開口及び前記マウスピース係合セクションを通る空気流を可能にするための前記マウスピース係合セクションに連通する第２の開口を有する導管を有する空気取入セクションとを含み、
前記マウスピースアセンブリは、前記ハウジングから分離可能であり、
前記マウスピースアセンブリは、カートリッジを保持し前記マウスピース係合セクションと係合するように構造的に構成されているチャンバと、前記チャンバから延在し前記チャンバに連絡する空気入口及び周囲空気に連通する空気出口を有する口唇配置セクションとを含むことを特徴とする乾燥粉末吸入器。
【請求項６】
前記マウスピース係合セクションは、前記第１の側壁部、前記第２の側壁部、及び前記下壁部のそれぞれと連続する外方壁部、内方壁部、及び下壁部を有し、前記チャンバに適合するように構成されている、請求項５に記載の乾燥粉末吸入器。
【請求項７】
前記マウスピース係合セクションは、薬剤の収容用のカートリッジを受容及び保持するように構成された前記下壁部からの突起部をさらに備える、請求項５又は６に記載の乾燥粉末吸入器。
【請求項８】
前記マウスピース係合セクションは、前記チャンバに係合するように構造的に構成された、内方壁部からの固定機構をさらに備える、請求項５から７のいずれか１項に記載の乾燥粉末吸入器。
【請求項９】
前記チャンバは、前記マウスピース係合セクションの内方壁部からの突起部又は突出部に対合するギャップを有するフランジをさらに備える、請求項５から８のいずれか１項に記載の乾燥粉末吸入器。
【請求項１０】
前記マウスピースアセンブリは、保管位置から、カートリッジ装填位置へ、及び吸入位置へ移動可能であり、
前記マウスピースアセンブリは、前記カートリッジを保持するように及び前記吸入位置において前記空気取入セクションの前記第２の開口に位置合わせされている開口を有するように構成されている混合チャンバを備える、請求項５から９のいずれか１項に記載の乾燥粉末吸入器。
【請求項１１】
前記チャンバは、空気入口を備え、カートリッジを固定するように構成され、前記乾燥粉末吸入器内における適切なカートリッジ配置を可能にするためのインジケータを有する、請求項５から１０のいずれか１項に記載の乾燥粉末吸入器。
【請求項１２】
前記マウスピースアセンブリは、前記チャンバを覆うキャップを備え、
前記キャップは、閉位置から開位置に移動可能であり、前記閉位置においてカートリッジに係合するアンビルを有する、請求項５から１１のいずれか１項に記載の乾燥粉末吸入器。
【請求項１３】
前記ハウジングは、逆止弁を備える空気流制御機構をさらに備える、請求項５から１２のいずれか１項に記載の乾燥粉末吸入器。
【請求項１４】
ハウジング及びマウスピースアセンブリを含む乾燥粉末吸入器、並びに、前記乾燥粉末吸入器に適合化されている吸入用乾燥粉末薬剤の収容用カートリッジを備える吸入システムであって、
前記ハウジングは、上壁部と、下壁部と、側壁部と、マウスピース係合セクションと、マウスピース保管セクションと、周囲空気の取入れを可能にするための第１の開口及び前記マウスピース係合セクションを通る空気流を可能にするための前記マウスピース係合セクションに連通する第２の開口を有する導管を有する空気取入セクションとを含み、
前記マウスピースアセンブリは、前記ハウジングから分離可能であり、
前記マウスピースアセンブリは、前記カートリッジを保持し前記マウスピース係合セクションと係合するように構造的に構成されているチャンバと、前記チャンバから延在し前記チャンバに連絡する空気入口及び周囲空気に連通する空気出口を有する口唇配置セクションとを含み、
前記吸入システムは、使用時に、前記チャンバに進入する空気流体積の、前記カートリッジの周囲及び前記カートリッジを通る所定の空気流分布を有することを特徴とする吸入システム。
【請求項１５】
前記カートリッジを通る前記所定の空気流分布は、混合セクションに進入する空気流体積の約１０％から約３０％の範囲であり、前記チャンバに進入する空気流体積の約７０％から約９０％の範囲である、請求項１４に記載の吸入システム。
【手続補正書】
【提出日】平成27年6月22日(2015.6.22)
【手続補正１】
【補正対象書類名】特許請求の範囲
【補正対象項目名】全文
【補正方法】変更
【補正の内容】
【特許請求の範囲】
【請求項１】
素材を搾汁するために用いられる搾汁機用可撓ブレイドであって、
該搾汁機用可撓ブレイドは、長手方向の一端側が他端側に近づけられることによって形成される湾曲した形態と、前記一端側が前記他端側から遠ざけられることによって形成される直線状に延びた形態との間の形態変化が繰り返され、
前記搾汁機用可撓ブレイド自体の復元力によって前記湾曲した形態から前記直線状に延びた形態への復元を可能とする材料によって構成され、
前記材料が、引張試験による永久歪みが０．２％に到達したときの応力として定義される引張弾性限強度が７００ＭＰａ以上あり、該引張試験により得られた応力−歪み線図上で該引張弾性限強度の１／２に相当する応力位置における接線の傾きとして求まる平均ヤング率が１００ＧＰａ以下であるチタン合金である、搾汁機用可撓ブレイド。
【請求項２】
帯状をなし、側縁に鋸歯を有している、請求項１に記載の搾汁機用可撓ブレイド。
【請求項３】
前記一端側の幅よりも前記他端側の幅が広い、請求項２に記載の搾汁機用可撓ブレイド。
【手続補正書】
【提出日】平成27年4月24日(2015.4.24)
【手続補正１】
【補正対象書類名】特許請求の範囲
【補正対象項目名】全文
【補正方法】変更
【補正の内容】
【特許請求の範囲】
【請求項１】
遊技者が遊技において獲得した獲得価値を遊技用記録媒体の識別情報に対応付けて管理する第１の管理装置と、遊技者が獲得し貯蓄する貯蓄価値を前記遊技用記録媒体の識別情報に対応付けて管理する第２の管理装置と、前記第１の管理装置および前記第２の管理装置と通信可能であり各遊技機に対応して配置される遊技用装置とを含む遊技用システムであって、
前記遊技用装置は、
遊技に伴い加算または減算して更新される獲得価値を記憶する獲得価値記憶手段と、
該獲得価値記憶手段が記憶する獲得価値にもとづいて、前記第１の管理装置によって管理されている前記獲得価値を更新するときに、前記第１の管理装置によって管理されている前記獲得価値と前記獲得価値記憶手段に記憶された前記獲得価値とに不整合が発生し得る前記第１の管理装置との通信異常があったか否かを判定する遊技用装置側通信異常判定手段と、
該遊技用装置側通信異常判定手段の判定結果にもとづいて、通信異常があった旨を示す情報を前記第１の管理装置に通知する異常通知手段とを備え、
前記遊技用システムは、
遊技場の営業終了時処理において、前記第１の管理装置によって管理されている前記獲得価値を、前記第２の管理装置によって管理されている前記貯蓄価値に移行させる価値移行手段と、
前記異常通知手段の通知にもとづいて、該通信異常が前記価値移行手段によりすでに移行された前記獲得価値に関して発生したか否かを判定する補正判定手段と、
該補正判定手段の判定結果にもとづいて、前記第２の管理装置で管理されている前記貯蓄価値を補正する補正処理手段と、
前記第１の管理装置によって管理される前記獲得価値から前記価値移行手段が移行させる前記獲得価値を消去する消去手段とを備える、遊技用システム。
【手続補正２】
【補正対象書類名】明細書
【補正対象項目名】０００６
【補正方法】変更
【補正の内容】
【０００６】
（１）  遊技者が遊技において獲得した獲得価値（たとえば、持玉数）を遊技用記録媒体（たとえば、会員カード、ビジターカード）の識別情報（たとえば、カードＩＤ、会員ＩＤ）に対応付けて管理する第１の管理装置（たとえば、持玉管理コンピュータ１５０）と、遊技者が獲得し貯蓄する貯蓄価値（たとえば、貯玉数）を前記遊技用記録媒体（たとえば、会員カード）の識別情報（たとえば、会員ＩＤ）に対応付けて管理する第２の管理装置（たとえば、貯玉管理コンピュータ１６０）と、前記第１の管理装置および前記第２の管理装置と通信可能であり各遊技機（たとえば、パチンコ遊技機２）に対応して配置される遊技用装置（たとえば、カードユニット３）とを含む遊技用システムであって、
前記遊技用装置は、
遊技に伴い加算または減算して更新される獲得価値を記憶する獲得価値記憶手段（たとえば、ＲＡＭ３２８ｂに記憶されるカードテーブル）と、
該獲得価値記憶手段が記憶する獲得価値にもとづいて、前記第１の管理装置によって管理されている前記獲得価値を更新するときに、前記第１の管理装置によって管理されている前記獲得価値と前記獲得価値記憶手段に記憶された前記獲得価値とに不整合が発生し得る前記第１の管理装置との通信異常があったか否かを判定する遊技用装置側通信異常判定手段（たとえば、図２３のステップＳ２５１）と、
該遊技用装置側通信異常判定手段の判定結果にもとづいて、通信異常があった旨を示す情報を前記第１の管理装置に通知する異常通知手段（たとえば、図１９のステップＳａ０８）とを備え、
前記遊技用システムは、
遊技場の営業終了時処理において、前記第１の管理装置によって管理されている前記獲得価値を、前記第２の管理装置によって管理されている前記貯蓄価値に移行させる価値移行手段（たとえば、図３４のステップＳ５５３およびステップＳ５５４、ならびに、図３１のステップＳ６０１からステップＳ６０４）と、
前記異常通知手段の通知にもとづいて、該通信異常が前記価値移行手段によりすでに移行された前記獲得価値に関して発生したか否かを判定する補正判定手段（たとえば、図２０のステップＳ１１からステップＳ１４）と、
該補正判定手段の判定結果にもとづいて、前記第２の管理装置で管理されている前記貯蓄価値を補正する補正処理手段（たとえば、図２０のステップＳ１６）と、
前記第１の管理装置によって管理される前記獲得価値から前記価値移行手段が移行させる前記獲得価値を消去する消去手段とを備える。
【手続補正書】
【提出日】平成27年4月1日(2015.4.1)
【手続補正１】
【補正対象書類名】特許請求の範囲
【補正対象項目名】全文
【補正方法】変更
【補正の内容】
【特許請求の範囲】
【請求項１】
ハンドルと、
このハンドルに対して回転可能に取り付けられているとともに、視認手段を有した、長尺のブレード保持部材と、
このブレード保持部材に対してスライド可能とされた取外し可能なブレードと、
を具備し、
前記咽頭鏡が、さらに、少なくとも２つの異なる取外し可能なブレードを具備し、
少なくとも１つの前記ブレードが、前記視認手段の視野を調整する手段を有していることを特徴とする喉頭鏡。
【請求項２】
前記ブレードが、スリーブ部分および遠位延長部を備える、請求項１に記載の喉頭鏡。
【請求項３】
前記取外し可能なブレードが、前記遠位延長部の先端部の方へ気管内チューブを案内する手段をさらに備える、請求項２に記載の喉頭鏡。
【請求項４】
前記視認手段が、前記ブレード保持部材の遠位端部に位置する少なくとも１つの固定のカメラを備える、前記請求項１から３のいずれか１項に記載の喉頭鏡。
【請求項５】
前記視野を調整する前記手段が光屈折手段を備える、請求項４に記載の喉頭鏡。
【請求項６】
前記光屈折手段がプリズムまたはウェッジプリズムを備える、請求項５に記載の喉頭鏡。
【請求項７】
前記視認手段が、少なくとも２つの異なる視野へ向けた少なくとも２つの固定のカメラ部材を備える、請求項１から４のいずれか１項に記載の喉頭鏡。
【請求項８】
一方のカメラから他方のカメラへ切り換える手段をさらに備える、請求項７に記載の喉頭鏡。
【請求項９】
前記視認手段が、可動式のカメラ部材を備える、請求項１から３のいずれか一項に記載の喉頭鏡。
【請求項１０】
前記カメラの動きを制御する機械的または電子的手段をさらに備える、請求項９に記載の喉頭鏡。
【請求項１１】
前記ブレードの前記スリーブの遠位端部が、使用時に前記カメラが前記患者の前記喉頭口を視覚化するように位置決めされるように配された窓を備える、請求項９に記載の喉頭鏡。
【請求項１２】
請求項１に記載の喉頭鏡を使用して患者の喉頭口を視認する方法であって、
この方法においては、
対象をなす患者に応じて、患者の咽頭口を視認するのに適切なブレードを決定し、
選択されたブレードを取り付け、これにより、視野の角度を所望の角度に調整する、
ことを特徴とする方法。
【請求項１３】
前記咽頭鏡の前記視認手段が、少なくとも１つのカメラ部材を備え、前記ブレードが、前記カメラの光路の向きを変えることが可能な光屈折手段を備える、請求項１２に記載の方法。
【請求項１４】
前記咽頭鏡の前記視認手段が、少なくとも２つのカメラ部材を備え、前記視野が、一方のカメラから他方のカメラへ視界を切り換えることによって調整される、請求項１２に記載の方法。
【請求項１５】
前記咽頭鏡の前記視認手段が、少なくとも１つのカメラ部材を備え、前記視野が、前記カメラを動かすことによって調整される、請求項１２に記載の方法。
【手続補正書】
【提出日】平成27年3月25日(2015.3.25)
【手続補正１】
【補正対象書類名】特許請求の範囲
【補正対象項目名】全文
【補正方法】変更
【補正の内容】
【特許請求の範囲】
【請求項１】
並設されたワイヤでワークをスライスするワイヤ放電加工装置であって、
ワイヤを並設するように走行させる走行手段と、
前記並設するように走行するワイヤの中の複数本のワイヤに加工電圧を一括で給電する給電子と、
前記給電子が前記複数本のワイヤに給電する位置を移動することで、前記複数本のワイヤに給電された加工電圧が前記ワークとの間で放電する放電部から前記給電子までの、前記複数本のワイヤによるインピーダンスを任意の値に調整する調整手段と、
を備えることを特徴とするワイヤ放電加工装置。
【請求項２】
前記調整手段は、前記給電子が前記複数本のワイヤに給電する位置を移動する駆動手段をさらに備え、
前記ワークを放電加工するまえに予め測定したワーク毎の比抵抗の違いを、前記駆動手段により前記給電子が給電する位置を移動させて前記調整手段が前記複数本のワイヤによるインピーダンスを用いて補正すること特徴とする請求項１に記載のワイヤ放電加工装置。
【請求項３】
前記給電子に前記加工電圧を給電する加工電源部を備え、
前記加工電源部から前記給電子までの抵抗値の方が、前記任意の値に調整された前記複数本のワイヤによるインピーダンスよりも小さいことを特徴とする請求項１または請求項２に記載のワイヤ放電加工装置。
【請求項４】
前記給電子は前記ワークの両側に一対で配置され、
前記調整手段は、前記放電部から前記一対の給電子までの前記複数本のワイヤによる第１の距離が等しくなるように前記一対の給電子をそれぞれ配置して、前記放電部から前記一対の給電子までの前記複数本のワイヤによるインピーダンスを任意の値に調整することを特徴とする請求項１乃至請求項３のいずれか１項に記載のワイヤ放電加工装置。
【請求項５】
前記調整手段は、前記放電部側を経由せずに前記一対の給電子の間を走行する前記複数本のワイヤによる第２の距離の方が、前記第１の距離よりも短くなるように前記一対の給電子をそれぞれ配置して、前記放電部側を経由せずに前記一対の給電子の間を走行する前記複数本のワイヤによるインピーダンスの方が、前記放電部から前記一対の給電子までの前記複数本のワイヤによるインピーダンスよりも小さくなるように調整することを特徴とする請求項４に記載のワイヤ放電加工装置。
【請求項６】
前記走行手段はワイヤを複数のメインローラに巻回することで、ワイヤを並設するように走行させ、
前記第２の距離が、前記複数のメインローラを１周回するワイヤの走行距離の３分の１未満になるように前記調整手段は、前記一対の給電子をそれぞれ配置することを特徴とする請求項５に記載のワイヤ放電加工装置。
【請求項７】
前記一対の給電子には、等しい電位の前記加工電圧が給電されることを特徴とする請求項４乃至請求項６のいずれか１項に記載のワイヤ放電加工装置。
【請求項８】
並設されたワイヤでワークをスライスする、ワイヤを並設するように走行させる走行手段と、前記並設するように走行するワイヤの中の複数本のワイヤに加工電圧を一括で給電する給電子と、を備えるワイヤ放電加工装置における加工方法であって、
前記ワイヤ放電加工装置の調整手段が、前記給電子が前記複数本のワイヤに給電する位置を移動することで、前記複数本のワイヤに給電された加工電圧が前記ワークとの間で放電する放電部から前記給電子までの、前記複数本のワイヤによるインピーダンスを任意の値に調整する調整工程を含むことを特徴とする加工方法。
【手続補正２】
【補正対象書類名】明細書
【補正対象項目名】０００６
【補正方法】変更
【補正の内容】
【０００６】
本発明は、複数本のワイヤに加工電圧を一括で給電する一括給電方式で、複数本のワイヤにまとめて流れる加工電流値を調整する場合に、加工電圧の設定条件を変えなくとも加工電流値が適正値になるように簡単に調整する仕組みを提供することを目的とする。
【手続補正３】
【補正対象書類名】明細書
【補正対象項目名】０００７
【補正方法】変更
【補正の内容】
【０００７】
本発明は、並設されたワイヤでワークをスライスするワイヤ放電加工装置であって、ワイヤを並設するように走行させる走行手段と、前記並設するように走行するワイヤの中の複数本のワイヤに加工電圧を一括で給電する給電子と、前記給電子が前記複数本のワイヤに給電する位置を移動することで、前記複数本のワイヤに給電された加工電圧が前記ワークとの間で放電する放電部から前記給電子までの、前記複数本のワイヤによるインピーダンスを任意の値に調整する調整手段と、を備えることを特徴とする。
【手続補正４】
【補正対象書類名】明細書
【補正対象項目名】０００８
【補正方法】変更
【補正の内容】
【０００８】
また、前記調整手段は、前記給電子が前記複数本のワイヤに給電する位置を移動する駆動手段をさらに備え、前記ワークを放電加工するまえに予め測定したワーク毎の比抵抗の違いを、前記駆動手段により前記給電子が給電する位置を移動させて前記調整手段が前記複数本のワイヤによるインピーダンスを用いて補正すること特徴とする。
また、前記給電子に前記加工電圧を給電する加工電源部を備え、前記加工電源部から前記給電子までの抵抗値の方が、前記任意の値に調整された前記複数本のワイヤによるインピーダンスよりも小さいことを特徴とする。
また、前記給電子は前記ワークの両側に一対で配置され、前記調整手段は、前記放電部から前記一対の給電子までの前記複数本のワイヤによる第１の距離が等しくなるように前記一対の給電子をそれぞれ配置して、前記放電部から前記一対の給電子までの前記複数本のワイヤによるインピーダンスを任意の値に調整することを特徴とする。
【手続補正５】
【補正対象書類名】明細書
【補正対象項目名】０００９
【補正方法】変更
【補正の内容】
【０００９】
また、前記調整手段は、前記放電部側を経由せずに前記一対の給電子の間を走行する前記複数本のワイヤによる第２の距離の方が、前記第１の距離よりも短くなるように前記一対の給電子をそれぞれ配置して、前記放電部側を経由せずに前記一対の給電子の間を走行する前記複数本のワイヤによるインピーダンスの方が、前記放電部から前記一対の給電子までの前記複数本のワイヤによるインピーダンスよりも小さくなるように調整することを特徴とする。
【手続補正６】
【補正対象書類名】明細書
【補正対象項目名】００１０
【補正方法】変更
【補正の内容】
【００１０】
また、前記走行手段はワイヤを複数のメインローラに巻回することで、ワイヤを並設するように走行させ、前記第２の距離が、前記複数のメインローラを１周回するワイヤの走行距離の３分の１未満になるように前記調整手段は、前記一対の給電子をそれぞれ配置することを特徴とする。
また、前記一対の給電子には、等しい電位の前記加工電圧が給電されることを特徴とする。
【手続補正７】
【補正対象書類名】明細書
【補正対象項目名】００１１
【補正方法】変更
【補正の内容】
【００１１】
本発明により、複数本のワイヤに加工電圧を一括で給電する一括給電方式で、複数本のワイヤにまとめて流れる加工電流値を調整する場合に、加工電圧の設定条件を変えなくとも加工電流値が適正値になるように簡単に調整する仕組みを提供することが可能となる。
【手続補正書】
【提出日】平成27年6月26日(2015.6.26)
【手続補正１】
【補正対象書類名】特許請求の範囲
【補正対象項目名】全文
【補正方法】変更
【補正の内容】
【特許請求の範囲】
【請求項１】
成形時に溶融金属と接するボトム面と、該ボトム面に対向するトップ面とを有し、該ボトム面よりも該トップ面の水素濃度が低く、板厚が１．５ｍｍ以下である化学強化用フロートガラスであって、深さ５〜１０μｍにおける平均Ｈ／Ｓｉ強度のトップ面に対するボトム面の比が１．６５以下である化学強化用フロートガラス。
【請求項２】
成形時に溶融金属と接するボトム面と、該ボトム面に対向するトップ面とを有し、該ボトム面よりも該トップ面の水素濃度が低く、板厚が１．５ｍｍ以下であるフロートガラスを化学強化して化学強化フロートガラスを製造する方法であって、該フロートガラスの深さ５〜１０μｍにおける平均Ｈ／Ｓｉ強度のトップ面に対するボトム面の比が１．６５以下である化学強化フロートガラスの製造方法。
【請求項３】
化学強化フロートガラスの表面圧縮応力が６００ＭＰａ以上であり、圧縮応力層の深さが１５μｍ以上である請求項２記載の化学強化フロートガラスの製造方法。
【手続補正２】
【補正対象書類名】明細書
【補正対象項目名】０１５９
【補正方法】変更
【補正の内容】
【０１５９】
【表３】
2015027949.tif 000001
【手続補正書】
【提出日】平成27年2月13日(2015.2.13)
【手続補正１】
【補正対象書類名】特許請求の範囲
【補正対象項目名】全文
【補正方法】変更
【補正の内容】
【特許請求の範囲】
【請求項１】
ガラス−セラミックプレートであって、特に発熱体を覆うための、少なくとも１つの面上に少なくとも１つのエナメルパッチ及び／又は少なくとも１つの塗料被膜を設けた、ガラス−セラミックプレート。
【請求項２】
前記プレートが、面の表面の少なくとも４０％に相当する領域にわたり、適切な場合には、機能及び／又は装飾領域を除いて、少なくとも１つのエナメルパッチ及び／又は少なくとも１つの塗料被膜を設けたことを特徴とする、請求項１に記載のガラス−セラミックプレート。
【請求項３】
透明又は半透明のガラス−セラミックに基づいており、かつその下面に少なくとも１つの塗料被膜、好ましくは単一の塗料被膜を、白色か又は色がついているかに関わらず、適切な場合には、機能及び／又は装飾領域を除いて、該面の大部分にわたり設けたことを特徴とする、請求項１又は請求項２に記載のガラス−セラミックプレート。
【請求項４】
前記塗料が３５０℃よりも高い分解温度を有し、任意選択で顔料、好ましくはエナメル用の顔料を含むことを特徴とする、請求項１〜３の何れか１項に記載のガラス−セラミックプレート。
【請求項５】
前記塗料が、１つ又は複数のシリコーン樹脂に基づいており、好ましくは１つ又は複数のシリコーンアルキド樹脂を含んで成ることを特徴とする、請求項１〜４の何れか１項に記載のガラス−セラミックプレート。
【請求項６】
その上面にエナメルパッチ、好ましくは該面の大部分を覆う単一色のエナメルパッチを、適切な場合には、機能及び／又は装飾領域を除いて設け、該エナメルパッチの厚さが好ましくは５μｍ未満であることを特徴とする、請求項１〜５の何れか１項に記載のガラス−セラミックプレート。
【請求項７】
前記プレートが、ゼロでない膨張係数、特には１５×１０-7Ｋ-1未満の膨張係数を有するガラス−セラミックに基づいていることを特徴とする、請求項１〜６の何れか１項に記載のガラス−セラミックプレート。
【請求項８】
前記プレートが、透明又は半透明のガラスセラミックに基づいていることを特徴とする、請求項１〜７の何れか１項に記載のガラス−セラミックプレート。
【請求項９】
前記プレートが、薄い色、例えば、白色又はクリーム色のガラス−セラミックに基づいており、例えば、Ｌ*値が８２〜８７、ａ*値が−３．０〜−０．５、及びｂ*値が−４．０〜＋４．０であることを特徴とする、請求項１〜８の何れか１項に記載のガラス−セラミックプレート。
【請求項１０】
前記プレートが、ｗｔ％で表される以下の組成、即ち、
ＳｉＯ2      ６３〜７０
Ａｌ2Ｏ3     １８〜２２
Ｌｉ2Ｏ      ２．５〜４．５
を有するガラスから得られるガラス−セラミックに基づいていることを特徴とする、請求項１〜９の何れか１項に記載のガラス−セラミックプレート。
【請求項１１】
前記プレートが、少なくとも５０％の曇り度、好ましくは９８％未満の曇り度を有するガラスセラミックに基づいていることを特徴とする、請求項１〜１０の何れか１項に記載のガラス−セラミックプレート。
【請求項１２】
前記プレートが、不十分にセラミック化されたガラス−セラミックに基づいていることを特徴とする、請求項１〜１１の何れか１項に記載のガラス−セラミックプレート。
【請求項１３】
前記プレートが、そのコーティング中に、例えば、表示器に対面することを意図された領域中に、未被覆領域を有することを特徴とする、請求項１〜１２の何れか１項に記載のガラス−セラミックプレート。
【請求項１４】
前記プレートが、その下面に、表示器と対面するよう意図された領域において少なくとも１つのインデックス樹脂（index resin）被膜をさらにコーティングしたことを特徴とする、請求項１３に記載のガラス−セラミックプレート。
【請求項１５】
下にある誘導発熱体と組み合せるよう意図されたことを特徴とする、請求項１〜１４の何れか１項に記載のガラス−セラミックプレート。
【請求項１６】
請求項１〜１５の何れか１項に記載のプレートを製造する方法であって、少なくとも１つのガラスプレートセラミック化サイクルが実施され、該プレート面の少なくとも１つが、セラミック化サイクルの前に少なくとも１つのエナメルパッチでコーティングされ、及び／又はセラミック化サイクルの後に少なくとも１つの塗料被膜でコーティングされる、請求項１〜１５の何れか１項に記載のプレートを製造する方法。
【請求項１７】
曇り度が少なくとも５０％のプレートを得ることを可能にするガラス組成が用いられ、前記セラミック化の保持温度を１０〜６０℃だけ下げることにより該プレートを得ることを可能にする前記セラミック化サイクルが適用されることを特徴とする、請求項１６に記載の方法。
【請求項１８】
１つ又は複数の被膜が、エナメルの場合にはセラミック化サイクル中に焼付けられ、又は塗料の場合にはセラミック化サイクル後に、この塗料被覆のガラス−セラミックプレートを数十秒から数十分の間、約８０〜４５０℃の温度での熱処理にさらすことによって焼付けられ、任意選択でインデックス樹脂を、セラミック化後、場合により塗料の焼付け後に表示器の場所において未被覆領域のプレート上に堆積することが可能であり、この樹脂が場合により屋外で乾燥されることを特徴とする、請求項１６又は請求項１７に記載の方法。
【請求項１９】
請求項１〜１５の何れか１項に記載のガラス−セラミックプレート、並びに１つ若しくは複数の発熱体、例えば、放射若しくはハロゲンエレメント、１つ若しくは複数の空気／ガスバーナー、及び／又は１つ若しくは複数の誘導加熱手段を含んで成る、高温で調理及び／又は保持するための装置。
【請求項２０】
前記プレートが、ユーザーの視界から器具の内部をマスクするための中間複合体なしで、絶縁支持体の上に取り付けられたことを特徴とする、請求項１９に記載の装置。
【手続補正書】
【提出日】平成27年3月5日(2015.3.5)
【手続補正１】
【補正対象書類名】特許請求の範囲
【補正対象項目名】全文
【補正方法】変更
【補正の内容】
【特許請求の範囲】
【請求項１】
遊技者所有の遊技用価値を用いて持点を加算する遊技用装置と通信可能に接続するための接続部と、複数種類の図柄を可変表示させる可変表示装置とを備え、持点で賭数を設定することにより１ゲームが開始可能になるとともに前記可変表示装置に表示結果が導出されることにより１ゲームが終了し、該可変表示装置の表示結果により発生した入賞に応じて持点が加算されるスロットマシンであって、
賭数の設定および入賞の発生に応じた持点の変化量を特定する特定手段と、
前記変化量を特定可能な更新情報と、相互に認証するための情報とを前記遊技用装置へ送信する情報送信手段と、
持点を記憶する持点記憶手段と、
前記持点記憶手段が記憶している持点を前記変化量に応じて更新する持点更新手段と、
遊技終了を指示するための情報、前記持点記憶手段が記憶している持点の初期化を指示するための情報、および相互に認証するための情報を受信する指示情報受信手段と、
前記指示情報受信手段により前記遊技終了を指示するための情報を受信したときに、新たなゲームを開始できない遊技禁止状態にするための遊技禁止手段とを含み、
前記情報送信手段は、前記遊技禁止手段が前記遊技禁止状態とし、かつ、当該スロットマシンにおける１ゲームの終了という条件が成立しているときに、前記持点記憶手段が記憶している持点の初期化を指示するための情報の受け付けが可能であることを示す情報を送信し、
前記持点更新手段は、前記指示情報受信手段により前記持点記憶手段が記憶している持点の初期化を指示するための情報を受信したときに前記持点記憶手段が記憶している持点を初期化する、スロットマシン。
【請求項２】
前記情報送信手段が前回に送信した前記更新情報により特定された変化量を記憶するための前回変化量記憶手段と、
前記遊技用装置から送信されてきた所定の情報に基づいて前記遊技用装置への前記更新情報の到達を判定する到達判定手段と、
前記到達判定手段により前記更新情報が到達していないと判定された通信不能状態が発生したときから、通信不能状態から復旧させて前記スロットマシンとの間でのデータの整合性を回復させる復旧処理が実行されるまでの間において、前記特定手段により特定された遊技データの変化量を記憶する今回変化量記憶手段とを含み、
前記情報送信手段は、
前記復旧処理が行なわれたことにより、前記今回変化量記憶手段に記憶されている遊技データの変化量と前記前回変化量記憶手段に記憶されている遊技データの変化量との合算値を前記更新情報として前記遊技用装置へ送信し、
前記復旧処理の前後で通信する前記遊技用装置が同じであり、前記遊技用装置から送信されてきた前記所定の情報と前記遊技用装置へ送信する前記所定の情報とが一致する場合に前記遊技用装置が前記復旧処理を行なう際に用いる前記更新情報を送信する、請求項１に記載のスロットマシン。
【手続補正２】
【補正対象書類名】明細書
【補正対象項目名】００１３
【補正方法】変更
【補正の内容】
【００１３】
（１）  遊技者所有の遊技用価値（プリペイド残高、貯メダル数）を用いて持点を加算する遊技用装置（カードユニット３）と通信可能に接続するための接続部（コネクタ２２０）と、複数種類の図柄を可変表示させる可変表示装置（リール２Ｌ、２Ｃ、２Ｒ）とを備え、持点で賭数を設定することにより１ゲームが開始可能になるとともに前記可変表示装置に表示結果が導出されることにより１ゲームが終了し、該可変表示装置の表示結果により発生した入賞に応じて持点が加算されるスロットマシン（スロットマシン２）であって、
賭数の設定および入賞の発生に応じた持点の変化量（加算数、減算数）を特定する特定手段（遊技制御用マイクロコンピュータ、持点制御用マイクロコンピュータ、加算数カウンタ、減算数カウンタ）と、
前記変化量を特定可能な更新情報（加算数および減算数を含む動作応答）と、相互に認証するための情報とを前記遊技用装置へ送信する情報送信手段（持点制御基板１１７）と、
持点を記憶する持点記憶手段（持点数カウンタ）と、
前記持点記憶手段が記憶している持点を前記変化量に応じて更新する持点更新手段（持点制御基板１１７、図４）と、
遊技終了を指示するための情報（図２２の「返却ボタン押下」に応じてＣＵから送信される、「禁止要求有、クリア要求無」を含む動作指示）、前記持点記憶手段が記憶している持点の初期化を指示するための情報（図２２の「クリア要求有」を含む動作指示）、および相互に認証するための情報を受信する指示情報受信手段（持点制御基板１１７）と、
前記指示情報受信手段により前記遊技終了を指示するための情報を受信したときに、新たなゲームを開始できない遊技禁止状態にするための遊技禁止手段（持点制御基板１１７、図２２においてＳ台は、「禁止要求有、クリア要求無」を含む動作指示を受信して、ＢＥＴ禁止とする）とを含み、
前記情報送信手段は、前記遊技禁止手段が前記遊技禁止状態とし、かつ、当該スロットマシンにおける１ゲームの終了という条件（１ゲーム規制時間以上の時間の経過、１ゲームの終了）が成立しているときに、前記持点記憶手段が記憶している持点の初期化を指示するための情報の受け付けが可能であることを示す情報を送信し（図２２においてＳ台は、「遊技禁止、遊技完了ＯＮ」を含む動作応答を送信する）、
前記持点更新手段は、前記指示情報受信手段により前記持点記憶手段が記憶している持点の初期化を指示するための情報を受信したときに前記持点記憶手段が記憶している持点を初期化する（図２２においてＳ台は、「クリア要求有」を含む動作指示を受信したときに、持点を初期化する）。
【手続補正書】
【提出日】平成27年2月23日(2015.2.23)
【手続補正１】
【補正対象書類名】特許請求の範囲
【補正対象項目名】全文
【補正方法】変更
【補正の内容】
【特許請求の範囲】
【請求項１】
所定条件の成立により、遊技者に有利な特別遊技状態へ移行させるか否かの移行判定をおこなう移行判定手段と、
前記移行判定の結果に基づいて、入球変動演出を演出表示領域に表示させる入球変動演出制御手段と、
前記入球変動演出制御手段による入球変動演出の表示中に前記所定条件が成立すると、前記移行判定の権利を保留して記憶する保留記憶手段と、
前記保留記憶手段に記憶された前記権利を示す保留時演出画像を前記演出表示領域に表示させる保留演出画像制御手段と、
を備え、
前記入球変動演出制御手段は、
前記保留演出画像制御手段が前記保留時演出画像を表示させているときに、当該保留時演出画像によって示される前記権利に対する前記移行判定がおこなわれると、当該移行判定の結果に基づく前記入球変動演出において、当該保留時演出画像と同一内容の画像を変動時演出画像として表示させるとともに、前記変動時演出画像とは異なる継承演出画像を当該変動時演出画像と同時に表示させる継承演出画像制御手段と、
前記継承演出画像制御手段が表示させた前記変動時演出画像および前記継承演出画像を用いた保留継承演出を表示させることが可能な保留継承演出制御手段と、
を有し、
前記保留継承演出制御手段は、
前記保留継承演出として、前記変動時演出画像が前記継承演出画像を破壊する演出を表示させた後、前記移行判定の結果に応じて、前記継承演出画像を異なる画像に変化させることが可能であることを特徴とする遊技機。
【手続補正２】
【補正対象書類名】明細書
【補正対象項目名】００１２
【補正方法】変更
【補正の内容】
【００１２】
請求項１に記載の発明は、所定条件の成立により、遊技者に有利な特別遊技状態へ移行させるか否かの移行判定をおこなう移行判定手段と、前記移行判定の結果に基づいて、入球変動演出を演出表示領域に表示させる入球変動演出制御手段と、前記入球変動演出制御手段による入球変動演出の表示中に前記所定条件が成立すると、前記移行判定の権利を保留して記憶する保留記憶手段と、前記保留記憶手段に記憶された前記権利を示す保留時演出画像を前記演出表示領域に表示させる保留演出画像制御手段と、を備え、前記入球変動演出制御手段は、前記保留演出画像制御手段が前記保留時演出画像を表示させているときに、当該保留時演出画像によって示される前記権利に対する前記移行判定がおこなわれると、当該移行判定の結果に基づく前記入球変動演出において、当該保留時演出画像と同一内容の画像を変動時演出画像として表示させるとともに、前記変動時演出画像とは異なる継承演出画像を当該変動時演出画像と同時に表示させる継承演出画像制御手段と、前記継承演出画像制御手段が表示させた前記変動時演出画像および前記継承演出画像を用いた保留継承演出を表示させることが可能な保留継承演出制御手段と、を有し、前記保留継承演出制御手段は、前記保留継承演出として、前記変動時演出画像が前記継承演出画像を破壊する演出を表示させた後、前記移行判定の結果に応じて、前記継承演出画像を異なる画像に変化させることが可能であることを特徴とする。
【手続補正書】
【提出日】平成26年11月7日(2014.11.7)
【手続補正１】
【補正対象書類名】明細書
【補正対象項目名】００３８
【補正方法】変更
【補正の内容】
【００３８】
本実施形態によれば、前記筒状絶縁体１４を構成するファインセラミックの使用可能最高温度が１５００℃と高く、また、引っ張り強さが２５ｋｇ／ｍｍ２と大きいことから、前記避雷極部材１内の圧力が上昇し、前記両電極体１１・１２を連結する前記筒状絶縁体１４の強度が十分に確保される。
【手続補正書】
【提出日】平成27年4月23日(2015.4.23)
【手続補正１】
【補正対象書類名】特許請求の範囲
【補正対象項目名】全文
【補正方法】変更
【補正の内容】
【特許請求の範囲】
【請求項１】
第１の超伝導膜と、
前記第１の超伝導膜上に設けられた第２の超伝導膜と、
前記第１の超伝導膜と前記第２の超伝導膜との間に設けられた絶縁膜と、を備え、
前記第２の超伝導膜は、前記絶縁膜が設けられている側とは反対側の表面から前記絶縁膜側へ向けて延びる有底穴を有し、
前記絶縁膜は、前記第１の超伝導膜と前記有底穴との間の部分に、弱結合部を有する、ジョセフソン接合素子。
【請求項２】
前記有底穴は、前記第２の超伝導膜の中央部に設けられている、請求項１に記載のジョセフソン接合素子。
【請求項３】
ジョセフソン接合素子の製造方法であって、
第１の超伝導膜と、前記第１の超伝導膜上に設けられた第２の超伝導膜と、前記第１の超伝導膜と前記第２の超伝導膜との間に設けられた絶縁膜と、を備える積層体を用意する工程と、
前記第２の超伝導膜に、前記絶縁膜が設けられている側とは反対側の表面から前記絶縁膜側へ向けて有底穴を設ける工程と、
前記有底穴を通して前記有底穴の底部へ向けてイオンビームを照射することにより、前記絶縁膜における前記第１の超伝導膜と前記有底穴との間の部分に、弱結合部を形成する工程と、を有する、ジョセフソン接合素子の製造方法。
【請求項４】
前記有底穴を設ける工程では、前記第２の超伝導膜の中央部に前記有底穴を形成する、請求項３に記載のジョセフソン接合素子の製造方法。
【手続補正書】
【提出日】平成27年2月26日(2015.2.26)
【手続補正１】
【補正対象書類名】明細書
【補正対象項目名】発明の名称
【補正方法】変更
【補正の内容】
【発明の名称】開閉検知構造およびそれを備えた開閉式モニタ装置
【手続補正２】
【補正対象書類名】明細書
【補正対象項目名】０００１
【補正方法】変更
【補正の内容】
【０００１】
この発明は、開閉式のモニタの開閉位置を検知する開閉検知構造およびそれを備えた開閉式モニタ装置に関する。
【手続補正３】
【補正対象書類名】明細書
【補正対象項目名】０００５
【補正方法】変更
【補正の内容】
【０００５】
この発明は、上記のような課題を解決するためになされたもので、部品点数が削減されて容易に組み立てることができる開閉検知構造およびそれを備えた開閉式モニタ装置を得ることを目的とする。
【手続補正４】
【補正対象書類名】特許請求の範囲
【補正対象項目名】全文
【補正方法】変更
【補正の内容】
【特許請求の範囲】
【請求項１】
第１の筐体と、前記第１の筐体に一端側が回動自在に支持されて回動により当該第１の筐体に対して開閉される第２の筐体とを備えた回動開閉装置に設けられ、前記第２の筐体の開閉位置を検知する開閉検知構造において、
前記第２の筐体の回動軸方向に沿って当該第２の筐体の前記一端側に形成された第１のレール部と、
前記第１のレール部に摺動可能に保持されて、前記第２の筐体の開閉動作に応じて前記第１のレール部に沿って摺動し、前記第２の筐体の開閉位置を検知する検知用スイッチを摺動位置に応じて触発するレバーとを備えたことを特徴とする開閉検知構造。
【請求項２】
前記第１のレール部に摺動可能に保持される前記レバーの摺動部は、摺動方向に沿ったリブが形成されており、
前記摺動部および前記第１のレール部が、前記リブを介して、前記摺動方向に直交する方向から互いを挟持して、前記レバーを前記第１のレール部に摺動可能に保持することを特徴とする請求項１記載の開閉検知構造。
【請求項３】
前記第１のレール部に摺動可能に保持される前記レバーの摺動部は、前記リブの稜線部で前記第１のレール部に接触することを特徴とする請求項２記載の開閉検知構造。
【請求項４】
前記第２の筐体の回動軸方向に沿って当該第２の筐体の前記一端側における前記第１のレール部から離間した位置に形成された第２のレール部を備え、
前記レバーは、前記第１および前記第２のレール部に摺動可能に保持されることを特徴とする請求項１から請求項３のうちのいずれか１項記載の開閉検知構造。
【請求項５】
前記第２のレール部に摺動可能に保持される前記レバーの摺動部は、摺動方向に沿ったリブが形成されており、前記リブの稜線部で前記第２のレール部に接触することを特徴とする請求項４記載の開閉検知構造。
【請求項６】
請求項１から請求項５のうちのいずれか１項記載の開閉検知構造を備えた開閉式モニタ装置。
【手続補正書】
【提出日】平成27年2月19日(2015.2.19)
【手続補正１】
【補正対象書類名】特許請求の範囲
【補正対象項目名】全文
【補正方法】変更
【補正の内容】
【特許請求の範囲】
【請求項１】
媒体の表面に対する印刷画像の形成用に当該媒体を加圧するための無端状のベルトと、
外周面に前記ベルトが架けられて、当該ベルトを所定の回転方向へ回転させるように駆動するローラと、
前記ローラよりも前記ベルトの前記回転方向の上流側に、当該ベルトの内面に表面を押し付けて配置され、前記ローラの駆動により前記ベルトが回転した際、前記表面に対して前記ベルトの前記内面を摺動させる押付部と
を具え、
前記押付部は、
前記表面に、前記ベルトの横幅側に長い溝部が形成された
定着装置。
【請求項２】
前記押付部は、
前記表面に所定の樹脂がコーティングされた
請求項１に記載の定着装置。
【請求項３】
前記押付部は、
前記表面に複数の前記溝部が、前記ベルトの前記回転方向の上流側から下流側へ順に並べて形成された
請求項１又は請求項２に記載の定着装置。
【請求項４】
前記押付部は、
前記表面に前記溝部が縁に角を成すように形成された
請求項１乃至請求項３の何れかに記載の定着装置。
【請求項５】
前記押付部は、
前記表面に直線状の前記溝部が、前記ベルトの幅方向と平行に形成された
請求項１乃至請求項４の何れかに記載の定着装置。
【請求項６】
前記押付部は、
一端面側及び他端面側の少なくとも一方を前記ベルトの対応する一方の開口及び他方の開口から突出させた状態で前記内面に前記表面を押し付けて配置され、当該表面に前記溝部が溝一端及び溝他端の少なくとも一方を溝中央部よりも前記ベルトの前記回転方向の下流側で、かつ当該ベルトの前記一方の開口又は前記他方の開口から突出する前記一端面又は前記他端面に位置させて形成された
請求項１乃至請求項４の何れかに記載の定着装置。
【請求項７】
外周面が前記ベルトを介して前記ローラの前記外周面から前記押付部の前記表面における前記ベルトの前記回転方向の下流側までに亘って押し付けられる他のローラ
を具え、
前記押付部は、
前記表面における前記他のローラの前記外周面の押付箇所よりも前記ベルトの前記回転方向の上流側に前記溝部が形成された
請求項１乃至請求項６の何れかに記載の定着装置。
【請求項８】
前記ベルトの前記内面に表面を当該ベルトの幅方向に不均一な押圧力で押し付けるようにして配置され、前記ローラの駆動により前記ベルトが回転した際、前記表面に対して前記ベルトの前記内面を摺動させる他の押付部
を具え、
前記押付部は、
前記表面に前記溝部が、前記ベルトの前記内面において前記他の押付部の前記表面の押し付けによって、より大きな押圧力がかかる部分に対応する箇所ほど幅及び深さの少なくとも一方を広く、また深くするように形成された
請求項１乃至請求項７の何れかに記載の定着装置。
【請求項９】
請求項１乃至請求項８の何れかに記載の前記定着装置
を具える画像形成装置。
【請求項１０】
媒体の表面に対する印刷画像の形成用に当該媒体を加圧するための無端状のベルトを所定の回転方向へ回転させながら、当該ベルトの内面に、前記媒体の加圧位置よりも前記ベルトの前記回転方向の上流側に配置した押付部の、前記ベルトの横幅側に長い溝部が形成された表面を押し付けて、当該表面に対して前記ベルトの前記内面を摺動させる
磨耗粉除去方法。
【手続補正２】
【補正対象書類名】明細書
【補正対象項目名】発明の名称
【補正方法】変更
【補正の内容】
【発明の名称】定着装置、画像形成装置及び磨耗粉除去方法
【手続補正３】
【補正対象書類名】明細書
【補正対象項目名】０００１
【補正方法】変更
【補正の内容】
【０００１】
本発明は定着装置、画像形成装置及び磨耗粉除去方法に関し、例えば、カラー用電子写真式プリンタ（以下、これをカラープリンタとも呼ぶ）、及び当該カラープリンタに設けられる定着ユニットに適用して好適なものである。
【手続補正４】
【補正対象書類名】明細書
【補正対象項目名】０００５
【補正方法】変更
【補正の内容】
【０００５】
本発明は以上の点を考慮してなされたもので、印刷画像の品質を向上させ得る定着装置、画像形成装置及び磨耗粉除去方法を提案しようとするものである。
【手続補正５】
【補正対象書類名】明細書
【補正対象項目名】０００８
【補正方法】変更
【補正の内容】
【０００８】
本発明によれば、媒体の表面に対する印刷画像の形成用に当該媒体を加圧するための無端状のベルトと、外周面にベルトが架けられて、当該ベルトを所定の回転方向へ回転させるように駆動するローラと、ローラよりもベルトの回転方向の上流側に、当該ベルトの内面に表面を押し付けて配置され、ローラの駆動によりベルトが回転した際、表面に対してベルトの内面を摺動させる押付部とを設けるようにして、押付部の表面に、ベルトの横幅側に長い溝部を形成するようにしたことにより、ベルトの内面が磨耗して微細な磨耗粉が発生しても、押圧部の溝部内に当該磨耗粉を取り込むことができ、その結果、ベルトの内面とローラの外周面との間に磨耗粉が入り込んで媒体の加圧にばらつきが生じて当該媒体の表面において印刷画像の形成不良が発生することを防止することができ、かくして印刷画像の品質を向上させ得る定着装置、画像形成装置及び磨耗粉除去方法を実現することができる。
【手続補正６】
【補正対象書類名】明細書
【補正対象項目名】００６７
【補正方法】変更
【補正の内容】
【００６７】
この場合、ベルトガイド６９は、例えば、熱の伝導率が比較的低い所定の樹脂によって一体成形されており、ガイド幅方向の一端面から他端面までの横幅（以下、これをガイド横幅とも呼ぶ）が駆動ローラ横幅とほぼ等しい所定の長さに選定されている。またベルトガイド６９は、板部６９Ａの表面における一方及び他方の縁部や各リブ６９Ｂ乃至６９Ｄの先端部が円弧状又は弓形状に形成されている。
【手続補正７】
【補正対象書類名】明細書
【補正対象項目名】００６９
【補正方法】変更
【補正の内容】
【００６９】
図２と共に図３及び図４に示すように、押圧部７１は、例えば、所定の金属又は樹脂により、ユニット幅方向に長く断面が略Ｊ字状となるように形成された押圧部本体７１Ａを有している。そして押圧部７１は、押圧部本体７１Ａの一面に、断面が略Ｊ字状となるように形成されたゴムのような弾性層７１Ｂが被着されている。これにより押圧部７１は、弾性層７１Ｂの外面側の一方の縁部が先細りの形状で斜め上側に張り出して、押圧部本体７１Ａの他面に対し当該外面が傾斜するように形成されている。
【手続補正８】
【補正対象書類名】明細書
【補正対象項目名】０１０１
【補正方法】変更
【補正の内容】
【０１０１】
そして分離部６２は、例えば、所定の金属板又は樹脂板により、ユニット幅方向に長く断面が略Ｌ字状で、かつ先端部が略楔状に形成されている。因みに、以下の説明では、分離部６２のユニット幅方向と平行な長手方向を、分離部幅方向とも呼ぶ。分離部６２は、例えば、分離部幅方向の一端面から他端面までの横幅（以下、これを分離部横幅とも呼ぶ）が筐体内幅とほぼ等しい所定の長さに選定されている。